(57)【要約】      （修正有）【課題】消費者が枕使用時に誰もが容易な動作で、自分に合った枕の高さ調整を可能とする機能構造を枕側袋内に構成させて、非常に頸椎に優しい低反発感触の枕を提供する。【解決手段】枕用側袋内の高さの中間位置全体をほぼ等分できる位置に網目ネットを装填し、さらに、側袋の不必要なだぶつきを除去するための枕側袋膨張防止用布地部品を必要枚数、側袋内側所定の位置４−２７，５−２７に縫い付けた側袋に中身材を詰めて枕を完成させる。【選択図】図１
2020022556.tif 000002
【特許請求の範囲】
【請求項１】
枕用側袋を製作し、適度のスリップ性を有する枕用中身材の樹脂製カットパイプを側袋に詰めて、枕を完成させる時、枕内の高さの中間位置全体をほぼ等分できる位置に網の太さ、網目寸法を枕使用者に異物感を与えない範囲で適宜に決め、枕内に装填するに適した寸法のネットを枕内に装填し、装填したネット２ヶ所に枕側袋膨張防止用布地部品を通せる長さの切込み等を行い、枕側袋膨張防止用布地部品２枚をそれぞれネットの切込み等の間に通し込んで、側袋内側の上面と下面に縫い付け、装填したネットの網目と縫い付けた枕側袋膨張防止用布地部品により中身材の移流動に対し、堰の効果を生む現象によって中身材の移流動を抑制、そして、頭部重量圧力約２．５kgが加わった辺りで制止させることを目的で完成させた枕用側袋に於いて、枕内の高さ中間位置全体を上下段に、ほぼ等分できる位置に網の太さ、網目寸法を適宜に決め、枕内に装填するに適した寸法の網目ネットを装填することを特徴とする高さ調整維持機能付低反発枕。
【請求項２】
枕内で樹脂製カットパイプ中身材の移流動を抑制、そして制止させる上で、枕使用時、容易に枕側袋が頭部重量圧力約２．５kgに達する以前から、枕両サイド部分の側袋が膨張することは、開発目的達成に障害となり、この現象を起こす原因は、側袋の不必要なだぶつきであるため、側袋のだぶつきを取り除く手段として、枕側袋膨張防止用布地部品を側袋内の必要とする所定位置に縫い付けることを特徴とする請求項１記載の高さ調整維持機能付低反発枕。
【発明の詳細な説明】
【技術分野】
【０００１】
本発明は、高さ調整維持機能構造付き低反発枕に関する。
【背景技術】
【０００２】
現在、消費者の感心が高い枕は、低反発ウレタンフォームにカバーを掛けた「低反発ウレタン枕」が、頸椎に優しい枕として市場で人気を集めています。しかし、消費者が全てに満足している訳ではありません。改善点を挙げてみると、第一に、使用者に合った枕の高さ調整を使用者自らが容易にできないこと。第二に、高さ調整後、枕の高さが安定維持できていないこと。第三に、頸椎に優しい低反発素材ではなく首に反発による違和感があることなどが挙げられます。
枕研究者と称される人たちの意見で特に、使用者に合った高さの枕を使用することが良い睡眠をとり、健康にとって大変大切なことと説明されています。枕の高さ調整方法を考えた時、子供のころ、外泊時に母親が両手で枕を押さえ込んで何度も揺することで、枕を低くしてくれていたことでありました。これまでの樹脂製カットパイプを生産してきた技術経験を活かし、柔らかで弾力性のある低反発中身材の樹脂製カットパイプの生産に成功し、製品名ソフトパイプ枕の製造販売を行いながら、枕使用者によって簡単な動作で行える高さ調整機能を備えた、枕側袋の開発を行ってきました。
【先行技術文献】
【特許文献】
【０００３】
【特許文献１】特開２００７−７４３２
【発明の概要】
【発明が解決しようとする課題】
【０００４】
本発明に於いては、製品完成に求めた課題が、１.消費者自らが自分に合った枕の高さに容易に調整できる機能を枕に持たせること。２.高さ調整後の枕の高さを安定維持させること。３.現在市販の低反発枕製品に比べ、さらに首に優しい低反発性を枕にもたせることである。
【０００５】
「０００４」の１．２.については、従来の枕にない発想として、枕用側袋内に枕使用時に違和感を与えない条件のもと、枕の高さ調整が使用者自らで容易に行える機能構造を開発し、枕側袋内に備えること、そして、「０００４」の３.については、柔らかな弾力性を有し、低めで適度な移流動性を持たせることが可能である中身材として、頸椎に負担の少ない低反発樹脂製カットパイプを生産し使用する枕に於いて、枕使用時に頭部重量圧力によって枕内で高くなる中身材密度を制御できる機構構造を開発することが解決しようとする課題である。
【課題を解決するための手段】
【０００６】
開発枕に使用する中身材料の樹脂原料は、柔らかで弾力性を有する樹脂グレードを選択する。中身材に適度の移流動性を持たせるために、樹脂用スリップ剤を添加加減し、枕用中身材の滑り具合を調整した樹脂原料を使用して、開発枕が必要とする適度の移流動性と、柔らかで弾力性を持つ品質の枕用中身材樹脂製カットパイプを生産する。
【０００７】
枕内中身材の移流動を抑制させるために、中身材の移流動に対し、堰の働きを担う部材実験の中より最も効果が高いネットの網目を活用して、頭部重量圧力が枕上に加わった時、枕内中身材に生じる移流動の抑制手段として、枕内にネットを装填する内容を示す。
開発枕、タテ３０cm×ヨコ５０cm×高さ８cmを完成製品の１例寸法として、以下説明に使用する数値は、１例であって限定した数値ではない。
枕側袋の縫製仕上がり布地寸法、タテ３５cm×ヨコ６４cmを使用し、側袋のヨコ６４cmの両端７cmを側袋内側に折り畳み込んで、タテ３５cm×ヨコ５０cmの側袋外見形状にした時、側袋内に折り畳み込まれた側袋両先端縁に、枕使用時に異物感を与えない太さ２〜５mmの縄・紐状等を適宜決め使用した網目３cm（数値・正方形網目に限定しない）のネット、タテ３０cm×ヨコ３６cmを用意して、側袋内に折り畳み込んだ長さ３５cmの縫製側袋両先端縁にネットのタテ３０cm側を架け渡し、枕の高さを概ね等分する枕内側位置に内蔵装填されるよう縫い繋ぐ。
【０００８】
枕に中身材を詰めた時、側袋が不必要にだぶつく状態を避けるため、側袋内側布地の上面と下面の間隔が８cmとなるよう、幅１０cm、長さ３０cmの枕側袋膨張防止用布地部品を２枚用意する。用意した布地３０cm側片方を側袋布地内側上面所定位置に布地２枚それぞれを縫い付け、その縫い付けた２枚の布地所定位置と、枕内で装填したネットの同所定位置にあたる網目の２ヶ所を長さ３０cm切断して、２枚の布地をそれぞれ切断されたネットの切れ目に通過させ、側袋内側布地の下面所定位置に枕側袋膨張防止用布地部品の片方それぞれを縫い付けて枕側袋は完成する。完成した側袋に樹脂製カットパイプ低反発中身材を適量詰めて開発枕は完成する。完成した枕を使用する時、枕上面を手の平で軽く押さえ揺する動作を行う方法と、または、枕に頭を乗せた状態で頭を左右に揺する容易な動作を行うことで、枕内の頭部下方部中身材を他の枕内部分に中身材を少しずつ移流動させることにより、枕の高さ調整ができ課題は全て解決される。
【発明の効果】
【０００９】
開発枕の中身材として、低反発の樹脂製カットパイプを生産使用することで、柔らかで弾力があり、樹脂用スリップ剤を添加加減し、使用用途に適した流動性を有する樹脂製カットパイプの品質選択を行い、カットパイプ形状を用途に合った径と長さの設定にして中身材を生産する。従来使用カットパイプよりカット長を長くすることにより、第一に、従来の枕中身材に比べ枕を使用しない時、枕内の中身材密度をできる限り低く（粗く）する効果を得られる。第二に、枕内中身材の移流動に対し、ネットの網目が堰となる働き効果を得るためには、パイプ長が長めの方が網目に掛かりやすく、中身材の移流動抑制・停止制御を可能とした大きな効果が得られる。
【００１０】
素材選択によって開発枕が必要とする品質の中身材生産が可能であることと、枕側袋内に構成した網目ネットと、枕側袋膨張防止用布地部品によって、側袋の開発完成に障害となるだぶつきを除去したことによる相乗効果として、枕上面から頭部重量圧力が加わると、ネット装填の網目が中身材移流動に対し、堰の働きをする現象が生まれ、頭部下方部分の中身材は密度が一気に上昇、その結果、大半の中身材移流動は、抑制、停止する結果が得られた。まさに、中身材の移流動を抑制、制御する構造が枕内に構成されたことを示す証しである。この現象こそが、中身材の移流動を抑制停止させ、枕の高さを維持安定させる効果となった。
【００１１】
ネット装填をした枕を使用したさいに生じる様々な現象に対処する内容を示す。枕上面より頭部重量圧力が加わった時、枕内で頭部下方部より他の枕内部分に中身材の移流動が生じ、枕側袋が膨れ上がってしまう現象が生まれる。この側袋の膨れ上がる現象の原因は、枕内で生じた中身材移流動を制御できなかった結果の現象によるものである。そこで、枕内で生じる中身材の移流動を抑制、停止させるために枕内に取り入れた構造がネットの網目と、側袋の膨張を抑える枕側袋膨張防止用布地部品である。網目が担う堰の働き効果を十分に出させるためには、中身材が、頭部重量圧力によって枕内で容易に移流動を生じさせる原因である枕内中身材の逃げ場所を除去しておく必要がある。この枕側袋膨張防止用布地部品を装備する防止策によって、側袋の膨れ上がりを防ぐことができる。枕側袋膨張防止用布地部品が、その働きを果たすことで、網目ネット装填の中身材移流動に対しる堰となる確実な抑制、制御効果を得ることができた。移流動の抑制、停止をさせる結果を得て、側袋の膨れ上がらせることなく枕の高さを安定維持させたのである。中身材パイプを長めにカットし、中身材が網目に掛かり易い形状にした方が中身材の移流動抑制には効果的であるが、その一方で、長めカットパイプは使用時、頭・首に対し異物感を感じさせるマイナス面も考えられていたが、中身材素材を柔らかで弾力のある樹脂を使用した結果、今までにない低反発感触の中身材を生産したことで、マイナス面は解消された。
【００１２】
網目ネット装填だけで枕側袋膨張防止用布地部品を使用しない枕に頭を乗せると、頭部重量圧力が加わった時、中身材密度の上昇の遅れが生じて、頭部下方枕内部分の外側部分にあたる側袋の不必要なだぶつき状態の側袋内へ向かう枕内中身材の移流動が想定以上に大きくなり、汎用型枕使用に似た側袋の膨れ現象が生じ、開発枕の完成とはならない。枕使用時に生じる枕内の中身材移流動に対し、確実な抑制、停止させる現象を得るために、側袋内に網目ネットを装填し、さらに枕側袋膨張防止用布地を縫い付け完成させた枕の枕使用時に於ける現象の開発枕と、枕内に網目ネットのみを装備した枕の使用時に生じる現象の違いについて説明する。
枕内に装填するネットに、枕側袋膨張防止用布地部品２枚を、通すのに必要な切込みを２ヶ所に入れ、その切込みを通し込んだ枕側袋膨張防止用布地部品を側袋内側上面と下面にそれぞれ縫い付けて、課題は改善され、開発枕側袋の完成となる。その効果は、枕側袋膨張防止用布地部品を付けなければ、中身材の移流動を開発計画通りに抑制することはできず、枕に頭を乗せ、頭部重量圧力が約２．５kgに達する以前に、中身材の移流動量が想定以上に多く発生するため、頭が乗る枕両サイドの枕側袋表面が膨れ上がる現象が生じ、使用者に汎用枕同様の圧迫感を与えるだけでなく、高さ調整機能発揮も損なわれ問題である。そこで、枕側袋膨張防止用布地部品を縫い付けて、枕に頭を乗せてみる。頭を乗せたその瞬間から、頭部重量圧力が約２．５kgに達する過程に於いて、枕内中身材移流動に対し堰の働き効果が生まれることにより、中身材に頭部重量圧力が増す過程で、中身材密度も上昇し枕内中身材に対し、枕の頭部下方部以外の枕内部分への中身材移流動が抑制される力が生まれ、頭部重量圧力が増す毎に、移流動抑制力も大きくなる。頭部重量圧力が約２．５kgに達する辺りで、中身材の移流動力に対し、抑制力が上回る現象に至る結果、枕内中身材の移流動は停止することになる。頭部重量圧力が約２．５kgを超えた状態では、中身材の移流動を抑制力が常に上る関係にある。この結果、頭部重量圧力で中身材樹脂製カットパイプの形状変形現象が生まれる約１２kg（中身材硬度により異なるので一定しない。）まで、枕の高さが安定維持される実験データが得られた。この現象こそが、枕の高さ調整前の高さ安定効果をもたらすことに繋がった。
【００１３】
開発枕と汎用型枕とを比較するため、汎用型枕側袋に同じ樹脂製カットパイプを詰め、枕を使用した時の現象を説明する。枕側袋内に中身材の移流動抑制に対し、何も施さない汎用型枕に頭を乗せると、頭部重量約４．５kgに達するまでもなく、頭部重量圧力が約３kg辺りで頭部は、枕上面より大きく沈み込んでしまった。その沈み込んだ容積分の中身材は、頭が乗る頭部下方部枕内から頭部下方部以外の枕内へ頭部重量圧力が伝わり、中身材に移流動が生じて頭部下方部以外の側袋表面を大きく膨らみ上げる現象が生じた。頭部重量圧力が枕内に分散して伝わり、中身材が大きく移流動したことを示した結果であり、これでは消費者に商品として歓迎されない。
【００１４】
「００１２」で説明した枕内に網目ネットを装填し、枕側袋膨張防止用布地部品を側袋内に縫い付けた側袋に、樹脂製カットパイプを詰めた開発枕を使用した時に生じる現象内容と、「００１３」で説明した汎用型枕を使用した時の現象内容との違いについて詳しく説明する。
開発枕使用では、頭を枕に乗せると頭部重量圧力約２．５kgが加わった辺りで高さが安定維持され、その後、頭部重量が約４．５kg加わっても高さが変化することもなく、さらに、１２kg辺りまで高さが安定維持される。寝返りを行っても殆んど変化しない現象結果を得た。この時、枕表面を人手で触感測定してみると、枕に頭が乗っている頭部下方部分が最も硬く、この部分の硬さに比べ、頭部下方部以外の枕両サイドのネット装填位置の下側はかなり柔らかく、ネット装填上側では、更に柔らかい感触となっていた。このことは、枕に対し上面より頭部重量圧力が加わることで、枕下側に圧力がより多く伝わり、その圧力の多くは、頭部下方部分の中身材の大半が移流動しないため、頭部下方部分中身材により受け支えられ、両サイド方向に逃げていく一割程度の圧力が、枕の両サイド部分に僅かな中身材の移流動となって現れる。この時の枕内状態がネット装填位置の上か下かで、位置の違いにより圧力の伝わる大きさの違いによって表れた結果である。ここで重視する現象は、枕内に生じる枕内部分によって中身材密度が異なる現象である。具体的には、ネットを装填することで、枕内で頭部下方部分の中身材密度に比べ頭部下方部分以外の枕内部分の中身材密度が、かなり低い結果となる現象を得たことを確認できたことである。
まず、中身材蜜度を高い方から６段階に表現区別する。（Ａ）非常に密度が高い、（Ｂ）かなり密度が高い、（Ｃ）密度が高い、（Ｄ）少し密度が高い、（Ｅ）僅か密度が高い、（Ｆ）枕使用前の密度が低い。この６段階状態に区別し説明に使用する。従来の汎用型枕に開発枕と同様の中身材を枕に詰めて、枕に頭を乗せると枕側袋内の頭部下方部は、頭部重量圧力によって、（Ａ）非常に中身材密度が高くなり、頭部下方部以外の側袋内も（Ｃ）中身材密度が高くなり、頭は、枕上面に大きく沈み込んだ状態で高さが安定停止する。枕に頭が乗る両側部分の側袋は、頭が沈み込んだ容積分程が膨らみあがる枕として好ましくない現象が生じた。
枕内にネットを装填し、枕側袋膨張防止用布地部品を縫い付けた開発枕に頭を乗せると、頭部下方部は、（Ｂ）かなり中身材密度が高くなるが、枕内を上下に仕切ったネットの下側部分で、頭部下方部分の両外側に当たる部分の側袋内では、（Ｃ）中身材密度が高くなっているが、さらにその両外側に当たる部分の側袋内では、（Ｄ）少し中身材密度が高い状態である。次に、ネットの上側部分で枕に頭が乗る下方部分の（Ｂ）かなり中身材密度が高くなる両外側に当たる部分の中身材は、（Ｅ）僅かに密度が高い現象となっている。枕内の部分で差があることが人手による触感測定で判明した。この内容こそが、本開発に求めた重要な現象である。
これは、頭部下方部分の中身材を頭部下方部分以外の枕内部分（Ｄ）・（Ｅ）に、（Ｂ）部分の中身材を移流動させられることができる余地をかなり残していることを示した現象であり、この現象を活用することで、枕使用時に高さ調整を行うことが可能となった。
【００１５】
開発枕に、頭部重量圧力が加わることで生じる樹脂製カットパイプの移流動に対し、頭部下方部分に加わる頭部重量圧が約２．５kg辺りで中身時の密度が高くなっていく過程で、樹脂製カットパイプ個々がさらによく絡み合い、中身材個々に軽い成形化現象が生じる。この現象が中身材の移流動に対し枕内に装填したネットの網目が中身材移流動に対し、堰の働きをする効果となり、枕上面に加わる頭部重量圧力が約２．５kg以上となれば、中身材の移流動力を抑制力が上回り、中身材の移流動を停止させた結果を証明する現象である。この現象により、枕の高さ安定維持することを可能とする効果となった。
【００１６】
枕を使用する時、開発枕内に中身材密度の高い部分と、中身材密度の低い部分が存在する現象を得たことにより、枕使用者に合った枕の高さを調整することが可能となった。その調整手段は、枕を使用する時、枕上面を手の平で軽く押さえ揺する動作を行う方法と、枕に頭を乗せた状態で頭を左右に揺する容易な動作かによって、中身材に振動を与えることができる。この行為を重ねることにより、絡み合っている中身材の軽い成形化現象の先端部を崩す現象が生じ、中身材密度の低い枕内部分に密度の非常に高い頭部下方部中身材が移流動し、使用する枕の高さが少しずつ低くなる現象で、枕の高さ調整幅３〜４cmが可能となり、その範囲で好みの高さを選択することができる。また、枕サイズが大きくなれば、中身材密度の低い部分を広く確保できることで、高さ調整幅も拡大される。
高さ調整動作を何回も必要とする場合は、使用前の枕が高すぎた結果を示している。この場合は、中身材を少量抜き取ることで高さ調整が容易となる。
【図面の簡単な説明】
【００１７】
【図１】開発枕 斜傾外形図
【図２】枕内構図
【図３】枕側袋用布地裁断 裏面図
【図４】枕側袋用布地二重折り 裏面図
【図５】網目ネット 上面図
【図６】側袋膨張防止用布地部品 寸法図
【図７】枕側袋 網目ネット・側袋膨張防止用布地部品の縫製図
【図８】汎用型枕 使用前の中身材密度を示した図
【図９】汎用型枕 使用中の中身材密度を示した図
【図１０】開発枕 使用前の中身材密度を示した図
【図１１】開発枕 使用中の中身材密度を示した図
【図１２】開発枕 使用中の中身材密度を示した詳細図
【発明を実施するための形態】
【００１８】
開発枕製作の一例として示す。「図１」〜「図７」を参考に説明する。
枕側袋用布地「図３」を用意し、布地裏面を上にして、枕側袋膨張防止用布地部品「図６」を縫い付けるための印を４ヶ所（４−２６）（５−２６）（７−２６）（８−２６）の印を付けておく。側袋用布地「図３」を布地表面が内側になるよう二重に折り合わせた側袋布地「図４」に、ファスナー取り付け位置（６）にファスナーを裏向きに取り付ける。そして、縫製位置（４−２６）（５−２６）に、枕側袋膨張防止用布地部品「図６」の縫製位置（２６）が重なるよう二枚を縫い付けておく。次に、「図４」の縫製位置（２７）部分を縫製してから、側袋布地「図４」両端幅７cm（１３）を、側袋布地「図７」で示す通り折り畳む。折り畳んだ側袋の縫製両側縁（１１）に網目ネット「図５」のタテ３０cm（２０）を架け渡すように縫い付ける。そして、網目ネット「図５」の網目カット位置（２１）の切れ目を側袋布地「図４」の枕側袋膨張防止用布地部品縫い付け位置（４−２６）（５−２６）に縫い付けている枕側袋膨張防止用布地部品「図６」２枚の残っている縫製位置（２６）側を、網目ネット「図７」のネット網目カット部分（２１）から上面に引っ張り出す。引っ張り出された枕側袋膨張防止用布地部品「図６」２枚の縫製位置（２６）を、側袋布地「図４」の表裏を返して、側袋布地「図３」の縫製位置（７−２６）（８−２６）に合わせて縫い付ける。次に、側袋布地「図４」の縫製位置（２６）を縫製する。最後に、ファスナーを開口し、側袋内に手を入れて、側袋をひっくり返して枕側袋の表地を表面に出す。ファスナー口より、適量の樹脂製カットパイプ低反発中身材を詰めて、高さ調整維持機能付低反発枕が完成する。
【実施例】
【００１９】
枕側袋内にネットを装填した開発枕に、頭を乗せると最終的に枕に加わる頭部重量圧力は、大人平均で約４．５kgである。頭部重量圧力が枕に加わる過程の、約２．５kg辺りまでの枕に生じる現象は、枕上面に頭部が１〜２cm沈み込んで、そこで沈み込みは停止する。この現象は、頭部重量圧力が枕に加わり始めた時点から、枕側袋内に取り入れた構造のネット装填と枕側袋膨張防止用布地を縫い付けたことにより樹脂製カットパイプ中身材の移流動に対し抑制力が働き、頭部重量圧力が増す度に中身材密度が高くなることで、抑制力も大きくなることから、頭部重量圧力が約２．５kg辺りに達する時点で、中身材移流動力に対し、抑制力が上回る状態になったことを示した。この現象によって、枕の沈み込みは停止し、枕の高さが安定維持された。この時、枕内中身材の密度状態を人手による触感測定で検証してみると、頭が乗る枕の下方部分は、頭を支えるため、中身材密度はかなり高くなっていることが分かる。これに対し、頭下方部分以外の枕内中身材密度を検証してみると、枕内に装填したネットの上下部分位置により、中身材密度の差がみられるが、総じて枕使用前に比べ中身材密度は、上昇するものの、それ程上昇していなかった。この現象を得ることが、本開発目的内容である。
この現象は、頭部下方部の枕内中身材に振動を与えて、中身材密度のかなり高い頭部下方部中身材を頭部下方部以外の中身材密度の低い部分に移流動させられる余地を確保していることを示したものが「図１１」「図１２」である。
開発枕上面中心部を、手の平で軽く押さえ枕を揺する動作や、枕に頭を乗せて、頭を左右に軽く揺する動作を行うことで、枕内の中身材に振動を与えられる結果、網目で堰止められている枕内中身材が少量ずつ崩れて中身材密度の低い部分へ移流動することで、枕の高さを少しずつ低くすることができ、この容易な動作で使用者に合った枕の高さに調整できる開発枕は、使用者個々に合った枕の高さで使用できる。頭、頸部に非常に優しい低反発感が得られる完成枕の使用例である。
【産業上の利用可能性】
【００２０】
多くの消費者から、使用者に合った高さの低反発枕の開発が健康に良いとされ求められ続けていました。しかし、業界で提供することが今まで長い間、実現していません。
本発明は、それに応えるため、柔らかで弾力のある樹脂製カットパイプ枕中身材の生産を成功させ、この素材を活用して、枕の高さを使用者自らが「枕上面を手の平で軽く押さえ揺する動作もしくは、枕に乗せた頭を左右に揺する動作」、この容易な動作によって枕の高さを調整できる。高さ調整維持機能付低反発枕の提供は、多くの消費者に歓迎される。
【符号の説明】
【００２１】
（１）        ３０cm
（２）        ５０cm
（３）        ８cm
（４）        枕側袋膨張防止用布地部品 取り付け位置
（４−２６）  枕側袋膨張防止用布地部品 縫い付け位置
（４−２７）  枕側袋膨張防止用布地部品 縫製済み位置
（５）        枕側袋膨張防止用布地部品 取り付け位置
（５−２６）  枕側袋膨張防止用布地部品 縫い付け位置
（５−２７）  枕側袋膨張防止用布地部品 縫製済み位置
（６）        ファスナー 取り付け位置
（７）        枕側袋膨張防止用布地部品 取り付け位置
（７−２６）  枕側袋膨張防止用布地部品 縫い付け位置
（７−２７）  枕側袋膨張防止用布地部品 縫製済み位置
（８）        枕側袋膨張防止用布地部品 取り付け位置
（８−２６）  枕側袋膨張防止用布地部品 縫い付け位置
（８−２７）  枕側袋膨張防止用布地部品 縫製済み位置
（９）        枕側袋膨張防止用布地部品
（１０）      ネット網目
（１１）      側袋両端側縫製縁
（１２）      ３６cm
（１３）      ７cm
（１４）      装填ネットの上段部高さ４cm  
（１５）      装填ネットの下段部高さ４cm
（１６）      ６４cm
（１７）      ７０cm
（１８）      ３５cm
（１９）      ３４cm
（２０）      ３０cm
（２１）      ネット網目カット部分
（２２）      ８cm
（２３）      １０cm
（２４）      ３０cm
（２５）      頭部
（２６）      縫製位置を示す点線
（２７）      縫製済みを示す点線
（２８）      布地折り目を示す点線
（Ａ）        非常に密度が高い
（Ｂ）        かなり密度が高い
（Ｃ）        密度が高い
（Ｄ）        少し密度が高い
（Ｅ）        僅かに密度が高い
（Ｆ）        枕使用目の密度が低い状態
【図１】
2020022556.tif 000003
【図２】
2020022556.tif 000004
【図３】
2020022556.tif 000005
【図４】
2020022556.tif 000006
【図５】
2020022556.tif 000007
【図６】
2020022556.tif 000008
【図７】
2020022556.tif 000009
【図８】
2020022556.tif 000010
【図９】
2020022556.tif 000011
【図１０】
2020022556.tif 000012
【図１１】
2020022556.tif 000013
【図１２】
2020022556.tif 000014